(57)【要約】【課題】ディープスリープモードで電話回線と接続されているにもかかわらず、所定時間、装置の未使用状態が継続すると装置の電源がオフされてしまう。【解決手段】通信装置とその制御方法であって、通信装置が連続して使用されない時間を計時した計時値が所定時間になると、通信装置を前記ディープスリープモードから復帰させて通信装置が公衆回線と接続されているか否かを検知し、公衆回線と接続していないことを検知すると通信装置の電源をオフにし、通信装置が公衆回線と接続していると検知すると通信装置をディープスリープモードに移行させる。【選択図】  図９
2016036116.tif 000002
【特許請求の範囲】
【請求項１】
通信装置であって、
公衆回線と接続されているか否かを検知する第１検知手段と、
ディープスリープモードへの移行条件が満たされると前記通信装置をディープスリープモードに移行させる移行手段と、
前記通信装置が連続して使用されない時間を計時する計時手段と、
前記通信装置の電源をオフにする電源手段と、
前記計時手段による計時値が所定時間になると、前記通信装置を前記ディープスリープモードから復帰させて前記第１検知手段により前記公衆回線と接続されているか否かを検知し、前記第１検知手段が前記公衆回線と接続していないことを検知すると前記電源手段により前記通信装置の電源をオフにし、前記第１検知手段が前記公衆回線と接続していると検知すると前記移行手段により前記通信装置をディープスリープモードに移行させるように制御する制御手段と、
を有することを特徴とする通信装置。
【請求項２】
前記制御手段は、前記計時手段による計時値が前記所定時間になる前に、前記ディープスリープモードへの移行条件が満たされると前記移行手段により前記通信装置をディープスリープモードに移行させることを特徴とする請求項１に記載の通信装置。
【請求項３】
前記ディープスリープモードで電力が供給されない第１電源系回路と、
前記ディープスリープモードでも電力が供給される第２電源系回路と、を更に有し、
前記計時手段は前記第２電源系回路に含まれ、前記第１検知手段は前記第１電源系回路に含まれることを特徴とする請求項１又は２に記載の通信装置。
【請求項４】
前記第１検知手段による検知結果を記憶する記憶手段を更に有することを特徴とする請求項１乃至３のいずれか１項に記載の通信装置。
【請求項５】
通信装置であって、
公衆回線と接続されているか否かを検知する第１検知手段と、
前記第１検知手段が前記公衆回線と接続されていないことを検知すると電源オフモードに設定する設定手段と、
ディープスリープモードへの移行条件が満たされると前記通信装置をディープスリープモードに移行させる移行手段と、
前記電源オフモードで前記通信装置の電源をオフするまでの所定時間を計時する計時手段と、
前記通信装置の電源をオフにする電源手段と、
前記計時手段による計時値が所定時間になると、前記通信装置を前記ディープスリープモードから復帰させて前記第１検知手段により前記公衆回線と接続されているか否かを検知し、前記第１検知手段が前記公衆回線と接続していないことを検知すると前記電源手段により前記通信装置の電源をオフにし、前記第１検知手段が前記公衆回線と接続していると検知すると前記移行手段により前記通信装置をディープスリープモードに移行させるように制御する制御手段と、
を有することを特徴とする通信装置。
【請求項６】
前記ディープスリープモードにおいてＬＡＮとの接続を検知する第２検知手段を更に有し、
前記制御手段は、前記第２検知手段が前記ＬＡＮとの接続を検知した場合、前記通信装置を前記ディープスリープモードから復帰させて前記第１検知手段による前記公衆回線との接続の検知を行うことなく前記ディープスリープモードを維持することを特徴とする請求項１又は５に記載の通信装置。
【請求項７】
前記制御手段は、前記第２検知手段が前記ＬＡＮと接続されていないことを検知した場合、前記通信装置を前記ディープスリープモードから復帰させて前記第１検知手段により前記公衆回線と接続されているか否かを検知するように制御することを特徴とする請求項６に記載の通信装置。
【請求項８】
前記ディープスリープモードで電力が供給されない第１電源系回路と、
前記ディープスリープモードでも電力が供給される第２電源系回路と、を更に有し、
前記計時手段と前記第２検知手段はともに前記第２電源系回路に含まれることを特徴とする請求項６又は７に記載の通信装置。
【請求項９】
通信装置を制御する制御方法であって、
公衆回線と接続されているか否かを検知する第１検知工程と、
ディープスリープモードへの移行条件が満たされると前記通信装置をディープスリープモードに移行させる移行工程と、
前記通信装置が連続して使用されない時間を計時する計時工程と、
前記通信装置の電源をオフにする電源工程と、
前記計時工程による計時値が所定時間になると、前記通信装置を前記ディープスリープモードから復帰させて前記第１検知工程により前記公衆回線と接続されているか否かを検知し、前記第１検知工程が前記公衆回線と接続していないことを検知すると前記電源工程により前記通信装置の電源をオフにし、前記第１検知工程が前記公衆回線と接続していると検知すると前記移行工程により前記通信装置をディープスリープモードに移行させるように制御する制御工程と、
を有することを特徴とする通信装置の制御方法。
【請求項１０】
コンピュータを、請求項１乃至８のいずれか１項に記載の通信装置として機能させるためのプログラム。
【発明の詳細な説明】
【技術分野】
【０００１】
本発明は、通信装置とその制御方法、及びプログラムに関するものである。
【背景技術】
【０００２】
近年、通信装置において、益々消費電力を低減させることが要求されている。このためには、単に待機電力を削減するだけではなく、ネットワーク回線や電話回線等と未接続であり、しかも一定時間、通信装置を使用していない場合は、消費電力を大幅に削減するという電力管理の必要性までも考えられる。現に、ヨーロッパにおける環境指令（Ｌｏｔ２６）は、近い将来、このような電力管理を行うことが必須であると議論され法規制化される予定である。このＬｏｔ２６によれば現時点では、全ての無線ネットワークポートが停止し、かつ、全ての有線ネットワークポートとの接続が絶たれた場合（機器がいかなるネットワークに物理的、論理的に接続されていない状態）は消費電力を０．５Ｗにしている。即ち、有線ネットワークポートには電話回線も含まれるため、ネットワークと未接続で電話回線にも未接続の場合は、０．５Ｗ以下の電力管理を行うことを意味している。
【０００３】
このような背景から、従来、ネットワークや電話回線等と接続されているか否かを検知し、接続されていない場合に電力管理を行う装置が存在している。例えば、このＬｏｔ２６で規定された目標値０．５Ｗの電力管理を達成するために、装置全体の電源をオフすることで対応しようと考えられている。
【０００４】
特許文献１は、電話回線に接続されていない場合に電力管理を行うディジタル複合機において、電話回線と接続されていないときに復帰要因を検知する回路に供給する電力を遮断することにより、更なる省電力を達成することを記載している。
【０００５】
図２は、特許文献１に記載されたディジタル複合機の電力供給の推移の一例を示す図であり、電話回線の接続検知の結果に応じた電力管理の時間推移を示している。つまり、装置が使用可能状態であるスタンバイモードで電話回線が未接続の場合、時刻ｔ２でスリープモードの一つであるディープスリープモードへ移行している。更に、装置の未使用状態が継続していると、時刻ｔ４で装置の電源をオフする電源オフモードへ移行している。
【０００６】
このディープスリープモードは、スリープモードからの復帰要因を検知する必要最小限の回路にのみ電力を供給するスリープモードである。例えば、ディジタル複合機のファックス部では、ディープスリープモードでは着信回路のみに電力を供給し、電話回線との接続を検知する回路には電力を供給しない。
【先行技術文献】
【特許文献】
【０００７】
【特許文献１】特開２００６−２５４３８４号公報
【発明の概要】
【発明が解決しようとする課題】
【０００８】
上述したようにディープスリープモードでは、電話回線との接続を検知できないので次のような課題がある。即ち、当初、電話回線と接続されていなかったが、ディープスリーモードの間に装置が電話回線と接続された場合は、電話回線との接続を検知する回路に電力が供給されていないため電話回線と接続されたことを検知できない。このため、電話回線と接続されているにもかかわらず、所定時間、装置の未使用状態が継続すると装置の電源がオフされてしまうという不具合が生じる。
【０００９】
本発明の目的は、上記従来技術の問題点を解決することにある。
【００１０】
本発明の特徴は、ディープスリープモードの間に公衆回線と接続された場合は、所定時間後に装置の電源がオフされることがないようにする技術を提供することにある。
【課題を解決するための手段】
【００１１】
上記目的を達成するために本発明の一態様に係る通信装置は以下のような構成を備える。即ち、
通信装置であって、
公衆回線と接続されているか否かを検知する第１検知手段と、
ディープスリープモードへの移行条件が満たされると前記通信装置をディープスリープモードに移行させる移行手段と、
前記通信装置が連続して使用されない時間を計時する計時手段と、
前記通信装置の電源をオフにする電源手段と、
前記計時手段による計時値が所定時間になると、前記通信装置を前記ディープスリープモードから復帰させて前記第１検知手段により前記公衆回線と接続されているか否かを検知し、前記第１検知手段が前記公衆回線と接続していないことを検知すると前記電源手段により前記通信装置の電源をオフにし、前記第１検知手段が前記公衆回線と接続していると検知すると前記移行手段により前記通信装置をディープスリープモードに移行させるように制御する制御手段と、を有することを特徴とする。
【発明の効果】
【００１２】
本発明によれば、ディープスリープモードの間に公衆回線と接続された場合、所定時間後に装置の電源をオフすることなくディープスリープモードを継続できる。
【００１３】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１４】
添付図面は明細書に含まれ、その一部を構成し、本発明の実施の形態を示し、その記述と共に本発明の原理を説明するために用いられる。
【図１】本発明の実施形態１に係るファクシミリ装置の構成を示すブロック図。
【図２】特許文献１に記載されたディジタル複合機の電力供給の推移の一例を示す図。
【図３】実施形態１に係る通信回線の回線電圧の一例を示す図。
【図４】実施形態１に係る直流捕捉回路の動作を説明するブロック図。
【図５】本実施形態１に係るファクシミリ装置内の電源供給を説明するブロック図。
【図６】実施形態１に係るファクシミリ装置の動作モードに応じた電源回路の電源出力の遷移を説明する図。
【図７】実施形態１に係るファクシミリ装置の処理を説明するフローチャート。
【図８】実施形態１に係るファクシミリ装置がディープスリープモードから復帰する処理を説明するフローチャート。
【図９】実施形態１に係るファクシミリ装置がディープスリープモードからスタンバイモードに復帰したときの処理を説明するフローチャート。
【図１０】本実施形態１に係るファクシミリ装置における電力供給状態の推移の一例を説明する図。
【図１１】実施形態に係るファクシミリ装置のその他の電力推移の一例を示す図。
【図１２】本発明の他の実施形態に係るファクシミリ装置のその他の電力推移の一例を示す図。
【発明を実施するための形態】
【００１５】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１６】
図１は、本発明の実施形態１に係るファクシミリ装置１００の構成を示すブロック図である。以下に説明する実施形態では、本発明の通信装置をファクシミリ装置を例に説明するが、本発明はこのようなファクシミリ装置に限らず、例えば複合機、ＰＣ等の電子機器などにも適用できる。
【００１７】
システム・オン・チップ（ＳＯＣ）１０１は、このファクシミリ装置１００の全体の動作を制御する。ＣＰＵ２００は、ＳＯＣ１０１に実装されている。ＳＯＣ１０１に接続されたメモリ１４０は主記憶装置であり、ＣＰＵ２００のワークメモリや制御プログラムを格納するメインメモリとして機能する。またメモリ１４０は、ファクシミリの送受信の際に、画像データや各種情報を一時的に記憶するためのメモリとしても使用される。またユーザが設定した各種情報を格納するのにも使用される。ＳＤＡＡプログラム２０２は、モデム１０２に転送されて、モデム１０２のＲＡＭ２０４に展開された後に、モデム１０２のＤＳＰ２０５の制御の下に実行されるプログラムである。
【００１８】
ＳＯＣ１０１には、上述のモデム１０２、メモリ１４０に加えて、操作パネル１１８、読取部１２１、記録部１２２、ＩＦ部１２３が接続されている。操作パネル１１８は表示器１１９及びキーボード類１２０を備え、これらはユーザ・インタフェースとして機能する。表示器１１９は例えばタッチパネル機能を有し、装置の状態やメニューに関する表示を行う。またキーボード類１２０は、ユーザからの各種の指示の入力を受け付けるボタンやテンキー等のキーボードを含む。ユーザは、このキーボードを用いて、ユーザ設定情報を入力することができる。読取部１２１は、原稿の画像を読み取って、その画像の画像データを生成し、その生成された画像データは、通信回線１３０を介して相手側装置に対してファクシミリ送信されてもよいし、記録部１２２で印刷されてもよい。ＩＦ部１２３は、ネットワークであるＬＡＮ２４０とのインタフェースを制御し、ＩＦ部１２３には、例えばネットワークＩＦ１２７が含まれている。ここでネットワークＩＦ１２７は、ＬＡＮコントローラとして機能し、例えば外部ゲートウェイとの間でＣＳＭＡ／ＣＤ（Carrier Sense Multiple Access/Collision Detection）通信方式により、データの送受信を行なう。
【００１９】
モデム１０２は、ＳＯＣ１０１による制御に基づいて動作する変復調器で、ファクシミリ送信の対象となる、読取部１２１で読み取られた画像データを用いた変調処理と、通信回線１３０を介して受信した信号の復調処理を行う。モデム１０２は、絶縁素子１０３を介してＳＤＡＡ（シリコン・データ・アクセス・アレンジメント）１０４と接続されている。モデム１０２のＲＯＭ２０３は、ＲＡＭ２０４に展開され、ＤＳＰ２０５に実行されるプログラムを格納している。ＲＡＭ２０４はＳＯＣ１０１から転送されるＳＤＡＡプログラム２０２やＲＯＭ２０３のプログラムを展開し、ＤＳＰ２０５に実行させるためのＲＡＭである。ＤＳＰ２０５は、ＲＡＭ２０４に展開されたプログラムに従ってモデム１０２の動作を制御する。レジスタ２０６はＳＤＡＡ１０４の状態を格納、或いは、ＳＯＣ１０１からの指示を格納するためのレジスタである。
【００２０】
ＳＤＡＡ１０４は網制御回路の一例であって、半導体ＮＣＵ（ネットワーク制御ユニット）である。ＳＤＡＡ１０４は通信回線１３０と接続されており、ファクシミリ装置１００と外部の通信回線１３０とのインタフェースとして機能する網制御回路である。また、ＳＤＡＡ１０４は、通信回線１３０を介して相手側装置との間で通信を行う際に、回線の接続（捕捉）状態を制御する。通信回線１３０には、ファクシミリ装置１００に外付けされた電話機１２８も接続される。電話機１２８は、Ｈリレー１１０を介して通信回線１３０に接続されており、ＳＤＡＡ１０４は、電話機１２８と並列に通信回線１３０に接続されている。ＳＤＡＡ１０４は、ファクシミリの送受信を行う場合に、回線を捕捉してその通信を制御するだけでなく、電話機１２８が通信回線１３０を介して相手側装置との間で音声通信を行う場合にも、回線の捕捉状態を制御する。ＳＤＡＡ１０４は、これらの制御をＳＯＣ１０１の制御に従って実行する。またＳＤＡＡ１０４は、回線捕捉回路１０５により回線の直流捕捉状態を制御する。この回線捕捉回路１０５により直流捕捉される場合の直流インピーダンスは可変である。このインピーダンスは、予め設定された、直流的な電圧に対する電流特性（以下、ＤＣ−ＶＩ特性）により制御される事により得られる。電圧検知回路１５０は、回線上の電圧をモニタする回路である。電流検知回路１５１は、回線上の電流をモニタする回路である。ＡＣフィルタ回路２０１は、電圧検知回路１５０或いは電流検知回路１５１の前段に接続され、電圧検知回路１５０或いは電流検知回路１５１でＤＣ電圧或いは電流を検知する場合に、ＡＣ成分による誤検知を防ぐためのものである。
【００２１】
直流捕捉回路１５２は、トランジスタなどの電流源を含むＳＤＡＡ１０４の周辺回路であり、電流源の電流を調整することにより、直流捕捉を行いながら、ＳＤＡＡ１０４の制御で直流インピーダンスの調整を行う。この直流捕捉回路１５２は、回線開放状態を作り出したり、回線に対する選択信号の一種であるダイヤルパルスの送出にも使用される。整流回路１５５はダイオードブリッジを含み、回線からの信号を整流してＳＤＡＡ１０４に伝える。受信ＩＦ回路１５３は、通信回線１３０を介して受信されるファクシミリ信号を受信するためのインターフェース回路である。交流インピーダンス整合回路１５４は、例えば、日本の場合は、交流インピーダンスを６００Ωに合わせて、通信中の交流インピーダンスを合わせるための回路である。ノイズ除去回路１５６は、通信回線１３０からの雷サージ、電磁ノイズなどを抑制し、逆に通信回線１３０を介して、ファクシミリ装置１００のノイズが送出されることを防ぐ回路である。
【００２２】
ＣＩ検知回路１０８は通信回線１３０に接続され、通信回線１３０から受信した呼び出し信号（以下、ＣＩ信号）を検知する。ＣＩ検知回路１０８は、通信回線１３０からのＣＩ信号を検知すると、ＣＩ検知信号１０９をＳＯＣ１０１に出力する。ＳＯＣ１０１は、ＣＩ検知信号１０９に基づいて、通信回線１３０からＣＩ信号の着信があったか否かを判断することができる。
【００２３】
Ｈリレー１１０は、フック検知回路１１７を介して接続される外付けの電話機１２８をＤＣ電源１１３或いは通信回線１３０に接続するための回路である。Ｈリレー１１０は、切替回路の一例であって、外付けの電話機１２８を通信回線１３０へ接続した接続状態と、通信回線１３０から切断した切断状態との間の切り替えを行う。またＨリレー１１０は、Ｈリレー駆動信号１１１を介してＳＯＣ１０１により制御される。尚、図１に示すように、Ｈリレー１１０を介して電話機１２８が通信回線１３０と接続されている場合、ＣＩ信号を着信しても電話機１２８は鳴動しない、所謂、ファクシミリ装置１００の無鳴動着信状態となる。ＤＣ電源１１３は、フック検知回路１１７に電流を供給する回路である。フック検知回路１１７は電話機１２８と接続されており、電話機１２８のオフフック又はオンフックを検知する。フック検知回路１１７は、電話機１２８のオフフック又はオンフックの検知結果を、フック検知信号１１４によりＳＯＣ１０１へ伝達する。ＳＯＣ１０１は、このフック検知信号１１４に基づいて、電話機１２８におけるフックの状態を判定できる。フック検知回路１１７は、Ｈリレー１１０を介して通信回線１３０に直接接続された場合、及びＤＣ電源１１３に接続された場合の何れも、電話機１２８に流れる電流を検知する。これにより、電話機１２８におけるオフフック又はオンフックの状態を検知することができる。
【００２４】
擬似ＣＩ送出回路１１６は、電話機１２８に対して擬似ＣＩ信号を送出する。疑似ＣＩ信号とは、通信回線１３０を介して相手側装置からのＣＩ信号の着信があった場合に、回線から切断された状態にある電話機１２８を鳴動させるために電話機１２８に送信される信号である。擬似ＣＩ送出回路１１６は、ＳＯＣ１０１からの擬似ＣＩ駆動信号１１５による送出指示に応じて、擬似ＣＩ信号を電話機１２８に送出する。ＰＳＴＮ２１０は公衆回線網である。相手ＦＡＸ２２０は、ＰＳＴＮ２１０を介して接続される対抗機であるファクシミリ装置である。保護素子２３０は、ヒューズ等を含む電流保護素子である。
【００２５】
タイマ回路１２４はＳＯＣ１０１と接続され、予め設定された時間を計時する。ＳＯＣ１０１は、タイマ回路１２４への時間の設定、及びタイマ回路１２４における計時値のクリアを制御する。電源回路１２５は、電源プラグ２５０を介して供給される商用のＡＣ１００Ｖから、ファクシミリ装置１００内部の回路ブロックに供給する電源を生成する回路で、例えば複数系統の電源出力１６３，１６４を生成する。尚、電源回路１２５は、ＳＯＣ１０１からの電源出力制御１６６に従って電源出力１６３，１６４の出力を制御する。またＣＩ検知回路１０８、ネットワークＩＦ１２７、タイマ回路１２４、キーボード類１２０より発生する各々の検知信号（ｄ１，ｄ２，ｄ３，ｄ４）の、例えば論理和が取られた割り込み信号ｄが電源回路１２５に供給される。これにより電源回路１２５は、その割り込み信号ｄに応答して電源出力１６４を制御する。ここで検知信号ｄ１は、ＣＩ信号を検知したＣＩ検知信号であり、検知信号ｄ２はネットワークＩＦ１２７が検知した着信信号である。また検知信号ｄ３は、タイマ回路１２４が所定時間の計時が完了したことを示す検知信号、検知信号ｄ４はキーボー類１２０が押下されたことを示す検知信号である。
【００２６】
図３は、実施形態１に係る通信回線１３０の回線電圧の一例を示す図である。
【００２７】
３０１では、直流捕捉回路１５２はオンフック、即ち、直流捕捉状態になっておらず、この時の電圧値は約４８Ｖである。ここでＰＳＴＮ２１０から見た直流抵抗値Ｚは１ＭΩ以上になっている。３０２でオフフック動作が開始され、直流捕捉回路１５２は、電流源の電流を調整することにより、直流捕捉を行いながらＳＤＡＡ１０４の制御の下で直流インピーダンスの調整を行う。このときＰＳＴＮ２１０の直流抵抗が約５０〜５５０Ωであることから、ここで発生する電圧降下により、電流源の電流の増加に伴い、徐々に回線電圧が降下を始める。３０３では、直流インピーダンスの調整が終了してオフフックするとＰＳＴＮ２１０から見た直流抵抗値は約５０〜３００Ωに調整される。この直流インピーダンスを調整した後の、即ち、オフフック後の電圧値３０３は、ＰＳＴＮ２１０の電流制限機能により、電流値が２０〜１２０ｍＡに制限されるために大きく降下する。即ち、例えば、回線電流Ｉが６０ｍＡで、ＰＳＴＮ２１０から見た直流抵抗値Ｚを３００Ωとすると回線電圧は１８Ｖになり、約４８Ｖから１８Ｖへ約３０Ｖの電圧降下が発生する。３０４は、オフフック状態を検知するためのスレッショルド電圧を示し、ここでは閾値電圧Ａ１とする。
【００２８】
図４は、実施形態１に係る直流捕捉回路１５２の動作を説明するブロック図である。
【００２９】
通信回線１３０を介してＰＳＴＮ１２０と接続された直流捕捉の回線電圧と、ＰＳＴＮ２１０と未接続時の回線電圧は以下に説明する関係になっている。
【００３０】
公衆回線網であるＰＳＴＮ２１０は、局側交換機の電圧源４００２と内部の直流抵抗４００３とを含み、通信回線１３０を介して直流捕捉回路１５２と接続される。これにより４８Ｖの直流電圧が、抵抗Ｚ０［Ω］の直流抵抗４００３を介して直流補足回路１５２に供給される。直流捕捉回路１５２は、内部は電流値が可変できる電流源４００１を有し、ＳＤＡＡ１０４の制御により、ＰＳＴＮ２１０より供給される電流値Ｉを調整する。ここでは、予め設定された直流的な電圧Ｖに対する電流Ｉの特性に適合するよう電流Ｉを調整することで、直流補足回路１５２の直流インピーダンスＺ（Ｖ／Ｉ）を調整することが可能となる。
【００３１】
ここで電圧Ｖは、電流Ｉに直流インピーダンスＺを乗じたもの（Ｖ＝Ｉ×Ｚ）に等しいため、電流Ｉが６０ｍＡで、直流インピーダンスＺが３００Ωの条件では、電圧Ｖ＝６０ｍＡ×３００Ω＝１８［Ｖ］となり、前述した回線電圧が大きく降下する。またこのとき電圧Ｖは、電圧源４００２の４８Ｖから直流抵抗４００３の抵抗Ｚ０［Ω］による電圧降下（Ｚ０×Ｉ）を引いた電圧と等しくなるため、電圧Ｖと電流Ｉは以下の関係式で表すことができる。
【００３２】
Ｖ＝４８−Ｚ０×Ｉ
従って、上述の電圧Ｖ＝１８Ｖ、電流Ｉ＝６０ｍＡの条件では、
Ｚ０＝（４８−Ｖ）÷Ｉ＝（４８−１８）/６０＝５００［Ω］となる。
【００３３】
次に、通信回線１３０がＰＳＴＮ２１０と未接続の場合を説明する。この場合、ファクシミリ装置１００はＰＳＴＮ２１０と切り離されるため、ＰＳＴＮ２１０より４８Ｖが供給されない。このため、通信回線１３０の回線電圧はほぼ０Ｖを保持することになる。
【００３４】
一方、通信回線１３０を介してＰＳＴＮ２１０と接続され直流捕捉が行われた場合は、上述したように回線電圧は降下するが、所定の一定電圧に保持されている。従って、例えば、前述の図３のスレッショルド電圧３０４の閾値電圧Ａ１を３Ｖ程度に設定する。従って、３Ｖ未満の場合は、オフフック或いはオンフック動作とは異なり、ＰＳＴＮ２１０より４８Ｖが供給されていない、即ち、通信回線１３０がＰＳＴＮ２１０と接続されていないと判定できる。
【００３５】
こうして、この通信回線１３０電圧をモニタすることにより、通信回線１３０がＰＳＴＮ２１０と接続されているか否かを判定する接続検知が可能となるが、この検知は、ＳＤＡＡ１０４の電圧検知回路１５０でも行うことができる。即ち、図１のモデム１０２のレジスタ２０６に、スレッショルド電圧３０４の閾値電圧Ａ１（例えば３Ｖ）が予め保持されている。ＳＤＡＡ１０４において、電圧検知回路１５０で検知した回線電圧値と、このスレッショルド電圧の閾値電圧Ａ１とを比較し、閾値電圧Ａ１未満であった場合は、ＰＳＴＮ２１０と未接続であることを示すフラグをレジスタ２０６に保持する。ＣＰＵ２００は、このフラグを参照して、ＰＳＴＮ２１０と接続しているか、或いは未接続であるかを判定して、この実施形態に係るファクシミリ装置の動作を制御することができる。
【００３６】
図５は、本実施形態１に係るファクシミリ装置１００内の電源供給を説明するブロック図である。
【００３７】
電源回路１２５には、電源プラグ２５０を介して商用のＡＣ１００Ｖが供給され、電源回路１２５は、このＡＣ１００Ｖから複数系統の電圧を生成して、ファクシミリ装置１００内部の回路ブロックに供給している。電源回路１２５からの電源出力６１３は第１電源系回路５００１に供給され、電源出力１６４は第２電源系回路５００２に供給される。ここで第１電源系回路５００１は、ディープスリープモードでも電源が供給される必要がある回路ブロックを示している。
【００３８】
図１で二重枠の回路ブロックで示したＣＩ検知回路１０８、タイマ回路１２４、ネットワークＩＦ１２７、及びキーボード類１２０が第１電源系回路５００１に属している。ＣＩ検知回路１０８は、ディープスリープモードのときに通信回線１３０からＣＩ信号の着信があった場合、検知信号ｄ１を発生して割り込み信号ｄを電源回路１２５に供給し、ディープスリープモードからスタンバイモードに復帰させる。またタイマ回路１２４は、タイマ回路１２４に設定された時間が経過すると検知信号ｄ３を発生し、電源回路１２５に割り込み信号ｄを供給してディープスリープモードからスタンバイモードに復帰させる。またネットワークＩＦ１２７は、ディープスリープモード時、ＬＡＮ２４０を介して、ファクシミリ装置１００宛てのパケットを受信すると検知信号ｄ２を発生する。そして電源回路１２５に割り込み信号ｄを供給して、ディープスリープモードよりスタンバイモードに復帰させる。更に、キーボード類１２０が、ユーザからの各種の指示の入力を受け付けると検知信号ｄ４を発生し、電源回路１２５に割り込み信号ｄを供給してディープスリープモードからスタンバイモードに復帰させる。尚、割り込み信号ｄは、検知信号ｄ１，ｄ２，ｄ３，ｄ４の論理和信号である。このように、第１電源系回路５００１は、ディープスリープモードにおいて、ディープスリープモードからスタンバイモードに復帰する要因を発生するための回路である。
【００３９】
一方、第２電源系回路５００２は、第１電源系回路５００１以外の回路ブロックであり、ディープスリープモードでは、その回路ブロックへの電源供給が停止される。ここではファクシミリ装置１００の大部分の回路ブロックが第２電源系回路５００２属している。ＳＯＣ１０１、モデム１０２、ＳＤＡＡ１０４等は第２電源系回路５００２に属する。従ってディープスリープモードでは、ＰＳＴＮ２１０と接続されたかどうかを検知することができない。
【００４０】
ところで、スタンバイモードからディープスリープモードへ移行させる場合は、第２電源系回路５００２に属しているＳＯＣ１０１が、電源回路１２５に電源出力制御信号１６６を供給する。これにより電源回路１２５で生成される電源出力１６４の出力を停止してディープスリープモードへ移行させる。
【００４１】
又、スタンバイモードから電源オフモードへ移行させる場合は、第２電源系回路５００２に属しているＳＯＣ１０１が、電源回路１２５に電源出力制御信号１６６を供給する。これにより電源回路１２５で生成される電源出力１６３及び１６４の出力を停止して電源オフモードへ移行させる。
【００４２】
図６は、実施形態１に係るファクシミリ装置１００の動作モードに応じた電源回路１２５の電源出力の状態を説明する図である。図６では、各モードにおける電源回路１２５の電源出力状態を表している。
【００４３】
スタンバイモードでは、電源出力１６３及び１６４はともにオンであり、ディープスリープモードでは、第１電源系回路５００１への電源出力１６３だけがオンである。また電源オフモードでは、電源出力１６３及び１６４は共にオフであり、電源オフモードからスタンバイモードに移行するには、ユーザが手動でファクシミリ装置１００の電源スイッチ（不図示）をオンする必要がある。
【００４４】
図７は、実施形態１に係るファクシミリ装置１００の処理を説明するフローチャートである。ここでは、ＰＳＴＮ２１０との接続を検知し、その後ディープスリープモードに移行する処理を説明する。尚、この処理を実行するプログラムはメモリ１４０に格納されており、ＣＰＵ２００がそのプログラムを読み出して実行することにより、このフローチャートで示す処理が達成される。
【００４５】
この処理は、最初、ファクシミリ装置１００がスタンバイモードであることから開始される。まずＳ７０２でＣＰＵ２００は、ＰＳＴＮ２１０との接続状態を検知する。ここでは、図４を参照して説明したレジスタ２０６に格納されているフラグを取得する。そしてＳ７０３に進みＣＰＵ２００は、そのフラグがＰＳＴＮ２１０と接続していることを示しているかどうかを判定し、接続されていると判定するとＳ７０５に進み、そうでないときはＳ７０４に進む。Ｓ７０４でＣＰＵ２００は電源オフモードに設定する。ここではＰＳＴＮ２１０と未接続であるため、タイマ回路１２４に予め決められた時間を設定する。これはファクシミリ装置１００が使用されない状態が継続して、タイマ回路１２４の設定時間が経過すると装置の電源をオフするように設定するものである。
【００４６】
次にＳ７０５に進みＣＰＵ２００は、図５及び図６を参照して説明した、ディープスリープモードに移行する移行条件を満たしているかどうかを判定する。ここでディープスリープモードに移行する条件が満足されないときはＳ７０５を実行し、移行する条件が満たされたと判定するとＳ７０６に進む。Ｓ７０６でＣＰＵ２００は、図５及び図６を参照して説明したように、第２電源系回路５００２への電力供給を停止する。そしてＳ７０７に進みＣＰＵ２００は、第２電源系回路５００２へ電力供給を停止させたディープスリープモードに移行して、この処理を終了する。
【００４７】
この処理によれば、ファクシミリ装置がＰＳＴＮ２１０と接続されていないときは電源オフモードに移行できるように設定し、ディープスリープモードに移行する条件を満足するとディープスリープモードに移行する。一方、ファクシミリ装置がＰＳＴＮ２１０と接続されているときは、ディープスリープモードに移行する条件を満足するとディープスリープモードに移行するが、電源オフモードに移行するようには設定しない。
【００４８】
図８は、実施形態１に係るファクシミリ装置１００がディープスリープモードから復帰する処理を説明するフローチャートである。ここでは、復帰要因の発生回路からの割り込み信号ｄによりディープスリープモードからスタンバイモードに復帰する動作を説明する。
【００４９】
Ｓ８０１で、ファクシミリ装置１００はディープスリープモードにある。そしてＳ８０２では、ディープスリープモードからの復帰要因が入力されたかどうかを判定する。この復帰要因となる信号は、前述の検知信号ｄ１〜ｄ４のいずれかである。Ｓ８０２で、ディープスリープモードからの復帰要因が入力されるとＳ８０３に進み、図５及び図６参照して説明したように、第２電源系回路５００２への電源出力１６４がオンされてＳＯＣ１０１が動作する。そしてＳ８０４でファクシミリ装置１００は、ディープスリープモードからスタンバイモードに復帰することができる。
【００５０】
図９は、実施形態１に係るファクシミリ装置１００がディープスリープモードからスタンバイモードに復帰したときの処理を説明するフローチャートである。このフローチャートでは、ディープスリープモードからの復帰要因がタイマ回路１２４の割り込み信号ｄ３による場合、即ち、電源オフに移行する時間になった場合の処理で説明する。尚、この処理を実行するプログラムはメモリ１４０に格納されており、ＣＰＵ２００がそのプログラムを読み出して実行することにより、このフローチャートで示す処理が達成される。
【００５１】
まずＳ９０１で、ディープスリープモードからの復帰要因によりディープスリープモードからスタンバイモードに復帰してＣＰＵ２００が動作できるようになる。次にＳ９０２に進みＣＰＵ２００は、Ｓ９０１の復帰要因となった復帰要因の発生回路の種別を調べる。次にＳ９０３に進みＣＰＵ２００は、復帰要因の発生回路がタイマ回路１２４で、そのタイマ割り込みであるかどうかを判定する。即ち、ディープスリープモードからの復帰要因が、図７のＳ７０４でタイマ回路１２４に設定した電源オフとなるまでの時間が経過したことによる割り込み信号ｄ３であるか否かを判定する。こうしてＳ９０３でＣＰＵ２００は、ディープスリープモードからの復帰要因が、電源オフとなるまでの時間が経過したことに起因する割り込み信号ｄ３によると判定するとＳ９０４に進む。一方、そうでないときは、その他の復帰要因に起因する場合であるためＳ９０８に進み、ＣＰＵ２００は、その復帰要因に応じた処理を実行して、この処理を終了する。
【００５２】
一方、Ｓ９０４でＣＰＵ２００は、ＰＳＴＮ２１０と接続しているかどうかを検知する。この処理は、図４で説明したフラグを作成してレジスタ２０６に保持する処理である。これは、一度、Ｓ７０２でＰＳＴＮ２１０との接続を検知したが、電源オフ時間が経過した場合、ディープスリープモードから復帰し、再度、ＰＳＴＮ２１０との接続検知を行うものである。次にＳ９０５に進みＣＰＵ２００は、Ｓ９０４の検知の結果に基づいてＰＳＴＮ２１０と接続しているかどうかを判定する。ここでＰＳＴＮ２１０と接続していないと判定するとＳ９０６に進み、ＣＰＵ２００は電源出力制御信号１６６を電源回路１２５に出力して第１電源系回路５００１及び第２電源系回路５００２への電源出力１６３，１６４をオフする。これは、再度、ＰＳＴＮ２１０と接続しているかどうか検知した結果が未接続であり、ファクシミリ装置１００が使用されていない状態が継続されているため、電源オフ時間の経過後、ファクシミリ装置１００の電源をオフするものである。
【００５３】
一方、Ｓ９０５でＰＳＴＮ２１０と接続していると判定するとＳ９１０に進みＣＰＵ２００は、図７のＳ７０４で行った電源オフ設定をクリアする。これは、当初、図７のＳ７０２ではＰＳＴＮ２１０に接続されていなかったが、Ｓ９０４で再度、ＰＳＴＮ２１０との接続検知を行った結果、ＰＳＴＮ２１０と接続されていたことを意味する。従って、この場合は、ファクシミリ装置１００の電源をオフする必要がないため電源オフ設定をキャンセルする。そしてＳ９１１に進みＣＰＵ２００は、電源出力制御信号１６６を電源回路１２５に出力してディープスリープモードに移行させて、この処理を終了する。
【００５４】
この処理によれば、ディープスリープモードに移行する前にファクシミリ装置が公衆回線と接続されていなくても、装置がディープスリープモードに移行した後、電源をオフに移行する時間になった時に、再度、公衆回線と接続されているか調べる。そして、このとき公衆回線と接続されていなければ電源オフに移行するが、公衆回線に接続されているときは、装置の電源をオフにせずにディープスリープモードに移行する。これにより、公衆回線と接続されているにも拘らず、ディープスリープモードで所定時間連続して使用されない状態が継続したことにより、装置の電源がオフされてしまうといった事態の発生を防止できるという効果がある。
【００５５】
図１０は、実施形態１に係るファクシミリ装置１００における電力供給状態の推移の一例を説明する図である。ここでは、ファクシミリ装置１００がＰＳＴＮ２１０に未接続の場合の電力供給の時間推移を示しており、図７〜図９を参照して説明した各ステップの主要な部分を説明する。
【００５６】
スタンバイモードで、時刻ｔ１で公衆回線と接続しているかどうかを検知した結果、接続されていない場合は、所定時間（ｔ５−ｔ１）、装置１００が連続して使用されないことを確認する。そして時刻ｔ５で、ファクシミリ装置１００の電源をオフするのが一般的である。ここでは更に、消費電力を低減させるために、時刻ｔ５が経過する前に、時刻ｔ２でディープスリープモードに移行する。又、当初、公衆回線と接続していなかったが、途中でディープスリープモードに移行した後、ディープスリープモード中に、再び公衆回線と接続することが考えられる。
【００５７】
従って本実施形態１では、ディープスリープモードに移行する前に公衆回線との接続を調べて接続されていないことを確認したが、電源オフ時間が経過する直前に、一旦、時刻ｔ３で、ディープスリープモードからスタンバイモードに復帰させる。そして、再度、時刻ｔ４で、公衆回線と接続しているかどうかを調べる。ここで公衆回線と接続されていなければ、時刻ｔ５で、電源オフモードに移行する。しかし、時刻ｔ４で、公衆回線と接続されていると判定すると、ディープスリープモードの間に公衆回線に接続されたことを意味するため、装置を電源オフにするという設定をキャンセルし、ディープスリープモードを維持する。
【００５８】
上述した実施形態１によれば、公衆回線と接続しているか否かにより、電力管理の制御を行うことを説明した。ＬＡＮ２４０と接続しているか否かに応じても、同様に電力制御を行っても良い。また或いは、ＬＡＮ２４０との接続の有無により電力制御を変更しない構成でも良い。
【００５９】
ＬＡＮ２４０との接続の有無により制御が異なる構成とは、例えばＬＡＮ２４０との接続検知を行った結果、ＬＡＮ２４０に接続されていない場合に上述の実施形態１を適用し、ＬＡＮ２４０に接続されている場合は適用しないことを意味する。又ＬＡＮ２４０との接続の有無により制御が変わらない構成とは、ＬＡＮ２４０との接続或いは未接続とは無関係に、上述の実施形態１を適用することを意味している。
【００６０】
ところで、ネットワークＩＦ１２７は、上述したように第１電源系回路５００１に属しているため、ディープスリープモードでも電力が供給されるため、ディープスリープモードでもＬＡＮ２４０からの受信パケットを受け付けることが可能である。従ってＬＡＮ２４０とのリンクが成立しているかどうかを検知することで、ディープスリープモードでもＬＡＮ２４０の接続検知を確認することが可能である。
【００６１】
このようにディープスリープモード中にＬＡＮ２４０との接続検知が可能の場合、ＬＡＮ２４０との未接続を前提に、前述の実施形態１を図１１のよう構成しても良い。
【００６２】
図１１は、実施形態に係るファクシミリ装置１００のその他の電力推移の一例を示す図である。
【００６３】
ここでは、時刻ｔ１で、ＬＡＮ２４０及びＰＳＴＮ２１０と未接続で、時刻ｔ２で、ディープスリープモードに移行した場合、ディープスリープモード中、時刻ｔ３で、ネットワークが接続されることが考えられる。この場合は、ネットワークが未接続という前提を満足しなくなるため、ディープスリープモードから復帰して再度、公衆回線の接続検知を行う必要がなくなる。従って、電源オフの設定をキャンセルし、そのままディープスリープモードを維持する。
【００６４】
又、ディープスリープモードでＬＡＮ２４０と接続されたかどうかを検知できる場合は、ＬＡＮ２４０との接続を前提に、前述の実施形態１を図１２のよう構成しても良い。
【００６５】
図１２は、本発明の他の実施形態に係るファクシミリ装置のその他の電力推移の一例を示す図である。
【００６６】
ここでは、スタンバイモードの時刻ｔ１で、ＬＡＮ２４０と接続であり、時刻ｔ２で、ディープスリープモードに移行し、ディープスリープモード中に、時刻ｔ３で、ＬＡＮ２４０との接続が未接続となった場合を示している。この場合は、公衆回線と接続されているかを確認する必要がある。従って、時刻ｔ４で、ディープスリープモードからスタンバイモードに復帰し、時刻ｔ５で、公衆回線と接続されているかを確認する。ここで公衆回線と未接続の場合は電源オフ設定を行って時刻ｔ６でディープスリープモードに移行する。一方、公衆回線に接続されている場合は、電源オフ設定を行うことなく、ディープスリープモードに移行する。
【００６７】
ところで、上記実施形態１では、ディープスリープモードから復帰する際、電源回路１２５の電源出力１６３，１６４をオンさせて、ファクシミリ装置１００をスタンバイモードに移行させて公衆回線に接続しているかどうかを確認していた。
【００６８】
しかしながら、この接続検知を行う際、例えばＳＯＣ１０１、モデム１０２、ＳＤＡＡ１０４等、必要最小限の回路ブロックだけに電力を供給すればよく、操作パネル１１８、読取部１２１、記録部１２２等へは電力を供給する必要がない。従って、電源回路１２５の電源出力１６４を複数に分離し、各回路への電力供給を制御することで、必要最小限の回路ブロックにのみへの電力供給が可能となる。これにより、スタンバイモードに復帰させなくても消費電力を抑えながら、公衆回線と接続しているかどうかの確認が可能となる。
【００６９】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００７０】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【００７１】
１０１…ＳＯＣ、１０２…モデム、１０４…ＳＤＡＡ、１０５…回線捕捉回路、１２４…タイマ回路、１２５…電源回路、１２７…ネットワークＩＦ、１３０…通信回線、１５２…直流捕捉回路、２００…ＣＰＵ，２１０…ＰＳＴＮ、２０６…レジスタ。
【図１】
2016036116.tif 000003
【図２】
2016036116.tif 000004
【図３】
2016036116.tif 000005
【図４】
2016036116.tif 000006
【図５】
2016036116.tif 000007
【図６】
2016036116.tif 000008
【図７】
2016036116.tif 000009
【図８】
2016036116.tif 000010
【図９】
2016036116.tif 000011
【図１０】
2016036116.tif 000012
【図１１】
2016036116.tif 000013
【図１２】
2016036116.tif 000014